(57)【要約】【課題】鉱石サンプル採取作業において、作業員の熟練度によらず、簡便な方法により、作業員の怪我を防止し、サンプル採取袋の落下を防止し、サンプル回収効率を向上させる。【解決手段】  本発明に係るサンプル採取袋の保持冶具は、一本の針金材を左右対称に折り曲げて２つの連続する円弧部からなる略８の字状に形成し、上記２つの連続する円弧部のうち第１の円弧部は、頂上部から左右対称に所定の長さにおいて、略８の字状の長さ方向の中心線から大きく遠ざかるように拡がったのち中心線に向かって折り曲げられることによりサンプル袋取付部となり、第１の円弧部に隣接する第２の円弧部は、上記第１の円弧部の終端が中心線上において交差して交差部を形成した後、さらに中心線より手で握れる程度に細長く拡げられたのち中心線に向かって折り曲げられ、その両端が最低部において接続されて把持部が形成されてなるものである。【選択図】  図１
2014095666.tif 000002
【特許請求の範囲】
【請求項１】
一本の針金材を左右対称に折り曲げて２つの連続する円弧部からなる略８の字状に形成し、
上記２つの連続する円弧部のうち第１の円弧部は、頂上部から左右対称に所定の長さにおいて、略８の字状の長さ方向の中心線から大きく遠ざかるように拡がったのち中心線に向かって折り曲げられることによりサンプル採取袋取付部となり、
第１の円弧部に隣接する第２の円弧部は、上記第１の円弧部の終端が中心線上において交差して交差部を形成した後、さらに中心線より手で握れる程度に細長く拡げられたのち中心線に向かって折り曲げられ、その両端が最低部において接続されて把持部が形成されてなるサンプル採取袋の保持冶具。
【請求項２】
上記第１の円弧部は、頂上部から略８の字状の長さ方向の中心線に対し、略１５度の角度をもって中心線から遠ざかるように拡げられてサンプル採取袋取付部が構成されてなる請求項１記載のサンプル採取袋の保持冶具。
【請求項３】
上記第２の円弧部は、略７ｃｍから１３ｃｍの範囲で細長く拡げられ、
上記最低部で２本の針金が相対する距離が、３ｃｍから７ｃｍであって、
且つ、上記略８字状の最低部から上記交差部までの距離が、９ｃｍから１５ｃｍであることを特徴とする請求項１又は２に記載のサンプル採取袋の保持治具。
【発明の詳細な説明】
【技術分野】
【０００１】
鉱石のサンプルを採取する技術に関する。詳しくは、切羽（坑道先端の、ほぼ垂直な岩盤）にあらわれた鉱脈から鉱石サンプルを採取する際に使用する治具に関する。
【背景技術】
【０００２】
金属鉱山の操業においては、鉱山から岩石および鉱石を掘り出す。坑内掘りの場合、坑道の先端で、鉱脈を含んだ岩盤を、掘削、発破することにより、運搬可能な大きさにして、坑外に搬出する。この時点では、鉱脈を含み、目的金属の品位が高い鉱石と、鉱脈以外の岩盤を構成する岩石の混合物（以下、混合岩石という）となっている。
【０００３】
坑外では、例えば、混合岩石を破砕し、目視判断でいわゆる「手選」等をして選別し、製品としての鉱石を生産している。
【０００４】
また、鉱山には、多数の鉱脈と、それにつながる坑道が設けられているのが一般的である。また、鉱脈ごと、坑道の深度ごとに目的金属の品位が違うのが一般的である。従って、無計画に混合岩石を掘り出して鉱石を生産しても、品位が安定せず、効率的な操業を行うことができない。
【０００５】
生産する鉱石の品位を安定させ、また、操業日数の計画を含め、効率的な操業を行うためには、前記した、複数の鉱脈の品位を把握、推定する必要があり、具体的には、各切羽の鉱脈から鉱石サンプルを採取し、分析することが重要である。
【０００６】
前記のような切羽において鉱石サンプルを採取する際には、鉱脈の幅にもよるが、通常は、まず、鉱脈の水平方向にサンプル採取のための高さで「サンプル採取ライン」を定めて、このライン上の両端部、および中央部の３箇所のポイントを定めて、鉱石サンプルを採取するという方法が行われている。
【０００７】
また、上記の切羽には、複数の鉱脈が現れているのが一般的であり、従って、切羽ごとの鉱脈の数に応じて複数箇所のポイントから鉱石サンプルを採取する必要がある。
【０００８】
また、切羽を掘削、発破して混合岩石を搬出して、その後、新しい切羽が現れると、新たに鉱石サンプルを採取する。これは、鉱脈の品位が、坑道の奥行き方向に対して一定というわけではなく、新しい切羽が現れた際に、表面を観察し、新たに鉱石サンプルを採取し、分析しなければならないからである。
【０００９】
以上説明したように、前記した効率的で計画的な操業を行うためには、鉱石サンプルの採取は重要であり、精度をあげるためには、鉱石サンプル採取の回数は大変に大きな数値となる。
【００１０】
もちろん、鉱石サンプル採取のために必要な作業時間が、鉱山操業の全体を遅らせることも避けなければならず、従来は、図４に示すような簡便な袋を用いた作業が行われてきた。
【００１１】
この作業は、作業者が、通常利き手にハンマーを持って前記した鉱脈のポイントを打撃し、破砕された鉱石サンプルが切羽から脱落する際に、その下方に構えた利き手ではないほうの手に、図４に示すように、サンプル採取袋１０の口を拡げるようにして持ち、落下する鉱石サンプルをサンプル採取袋内部に回収する、というものである。
【００１２】
この作業に必要なのは、ハンマーとサンプル採取袋１０だけであり、簡便なだけでなく治具の所持重量としても少ないので、従来広く行われていた。
【００１３】
しかし、この従来のサンプル採取法だと、作業員の熟練度によっては、鉱脈を打撃する際にハンマーの軌道がずれると、サンプル採取袋１０を保持した方の手を打撃してしまう恐れがある。
【００１４】
また、思ったより大きな鉱石サンプルの塊が落下した際に、急にサンプル採取袋１０の重量が増加してしまい、サンプル採取袋１０を落としてしまうので、サンプル作業をやりなおす必要がある。
【００１５】
さらに、サンプル採取袋１０の口をあまり大きく広げられず、サンプルの回収効率が悪い。
【００１６】
従って、このような従来のサンプル採取法における問題点を解決すべき要請がある。
【００１７】
例えば、特開2008-110551号公報（特許文献１）、実案登録第3153732号（特許文献２）には、ハンマー打撃を伴う作業において、ハンマーの軌道がずれても作業者の怪我を防止する技術が記載されているが、前者は貴金属インゴットへの刻印作業であり、後者は、ケーブルのステップ設置作業にかかる技術であり、上記の問題点には適用できない。
【００１８】
また、ドリルやサンプル回収装置を備えた装置を準備することも想起できるが、設備導入コストの増大だけでなく、設定や操作に余計な時間が必要となるため、不利である。
【先行技術文献】
【特許文献】
【００１９】
【特許文献１】特開2008-110551号公報
【特許文献２】実案登録第3153732号
【発明の概要】
【発明が解決しようとする課題】
【００２０】
本発明は、このような状況を解決するためになされたものであり、鉱石サンプル採取作業において、作業員の熟練度によらず、作業員の怪我を防止し、サンプル採取袋の落下を防止し、サンプル回収効率を向上させ、しかも簡便な方法の提供を課題とする。
【課題を解決するための手段】
【００２１】
本発明者らは、上記課題を解決するために、鋭意研究し、特定形状の治具を利用できることを見出し、本発明を完成した。
【００２２】
すなわち、本発明に係るサンプル採取袋の保持冶具は、一本の針金材を左右対称に折り曲げて２つの連続する円弧部からなる略８の字状に形成し、上記２つの連続する円弧部のうち第１の円弧部は、頂上部から左右対称に所定の長さにおいて、略８の字状の長さ方向の中心線から大きく遠ざかるように拡がったのち中心線に向かって折り曲げられることによりサンプル採取袋取付部となり、第１の円弧部に隣接する第２の円弧部は、上記第１の円弧部２の終端が中心線上において交差して交差部を形成した後、さらに中心線より手で握れる程度に細長く拡げられたのち中心線に向かって折り曲げられ、その両端が最低部において接続されて把持部が形成されてなることを特徴とするものである。
【００２３】
このとき本発明においては、上記第１の円弧部は、頂上部から略８の字状の中心線に対し、略１５度の角度をもって中心線から遠ざかるように拡げられてサンプル採取袋取付部が構成されるようにしてもよい。
【００２４】
また、本発明は、上記第２の円弧部は、略７ｃｍから１３ｃｍの範囲で細長く拡げられ、上記最低部で２本の針金が相対する距離が３ｃｍから７ｃｍであって、略８の字状の最低部から上記交差部までの距離が９ｃｍから１５ｃｍであるようにしてもよい。
【発明の効果】
【００２５】
本発明のサンプル採取袋の保持治具によれば、鉱石サンプル採取作業において、作業員の熟練度によらず、作業員の怪我を防止し、サンプル採取袋の落下を防止することができる。
【００２６】
よって、サンプル回収効率を向上させ、しかも簡便な方法であるため、その工業的価値は極めて大きい。
【図面の簡単な説明】
【００２７】
【図１】本発明のサンプル採取袋の保持治具の一例を示す平面図である。
【図２】本発明のサンプル採取袋の保持治具において採取袋を取り付けた状態を示す斜視図である。
【図３】本発明のサンプル採取袋の保持治具を用いて鉱石サンプルを採取している状況を示す斜視図である。
【図４】従来のサンプル採取袋によるサンプル採取の保持状態を示す斜視図である。
【発明を実施するための形態】
【００２８】
以下、本発明に係るサンプル採取袋の保持治具１を図１乃至図３を用いて詳細に説明する。
【００２９】
本発明に係るサンプル採取袋の保持冶具１は、図１に示すように、一本の針金材Ｓを左右対称に折り曲げて２つの連続する円弧部２、３からなる略８の字状に形成してなるものである。
【００３０】
上記２つの連続する円弧部２、３のうち第１の円弧部２は、頂上部４から左右対称に所定の長さにおいて、略８の字状の長さ方向の中心線から大きく遠ざかるように拡がったのち中心線に向かって折り曲げられることによりサンプル採取袋取付部５とされる。
【００３１】
上記第１の円弧部の終端が上記中心線上において交差して交差部６を形成する。
【００３２】
そして、第１の円弧部２に隣接する第２の円弧部３は、上記交差部６からさらに延在されて、上記中心線より手で握れる程度に細長く拡げられたのち中心線に向かって折り曲げられ、その両端が最低部７において接続されて把持部８が形成されてなる。
【００３３】
以上から、図１に示す上半分のサンプル採取袋取付部５は、頂上部４から左右対称の長さ方向の中心線から広がるように横方向（中心線と直交する方向）に向かって伸びており、所定の長さからは、略８の字の中央の交差部６にむけて曲げられている。すなわち、このサンプル採取袋取付部５は、頂上部４側がやや突出する一方、交差部６側が大きく膨らんでおり、一体として変形した「輪」を形成している。
【００３４】
なお、上記説明においては、１本の針金材Ｓを頂上部４側から折り曲げて冶具１を作成する場合について説明したが、これに限定されることなく、例えば逆に、最低部７側から折り曲げて、頂上部４側において針金材Ｓの両端部を接続するものであってもよいことは言うまでもない。
【００３５】
次に、図２及び図３を参照しながら、この保持治具１を使用して、鉱石サンプルを採取する手順について説明する。
【００３６】
図２に示すように、サンプル採取袋１０は、通常縦長の長方形であり、短い辺に開口部１０ａがある。
【００３７】
この開口部１０ａを、上記「輪」の下方内側から上方に向けて通し、長い辺の１／１０程度の長さを「輪」の上に出す。
【００３８】
そして開口部１０ａを広げて、「輪」にかぶせる。
【００３９】
上記交差部６以外では、開口部１０ａは、下方に折り曲げられる。
【００４０】
そして、交差部６付近の袋の端部は、交差部６から把手部８に沿って広がり、または把手部８に巻きつく形となる。なお、交差部６の間に挟み込むようにしてもよい。
【００４１】
このように使用することで、作業員の熟練度によらず、サンプル採取袋１０を本発明に係る冶具１のサンプル採取袋取付部５にしっかりと固定することができる。従って、上記従来の方法に比べて、より広くサンプル採取袋１０の開口部分を確保することが可能となり、サンプル回収効率を向上させることができる。
【００４２】
また、把手部８は手で握れる形状となっているので、把手部８を握って保持治具１の全体を保持し、図３に示すように使用する。
【００４３】
このとき、保持治具１を保持する手で、上記交差部６の付近の袋の端部を同時に握り締めることにより、把手部６だけでなく、手をもってサンプル採取袋１０を保持する。
【００４４】
このように使用することで、作業員の熟練度によらず、サンプル採取袋の落下を防止することができる。よって、従来の方法に比べて、しっかりとサンプル採取袋１０を保持できる。
【００４５】
以上のように、本発明の保持治具１を使用してサンプル採取袋１０を保持すれば、作業員の熟練度によらず、作業員の怪我を防止することができる。従来の方法とは違い、よほど大きくハンマーＨの軌道がずれない限り、把手部８を握った手をハンマーＨが打撃することは無い。
【００４６】
また、本発明においては、上記第１の円弧部２は、頂上部４から略８の字状の長さ方向の中心線に対し、略１５度の角度をもって中心線から遠ざかるように拡げられてサンプル採取袋取付部５が構成されるようにしてもよい。
【００４７】
このようにすれば、把手部８とサンプル採取袋１０の端部を握った直近位置から、サンプル採取袋１０が大きく開口しているので、サンプル採取袋１０に大きなサンプル鉱石が入り当該袋が落下しそうな場合でも、強く保持することができる。すなわち、サンプル採取袋１０が落下しにくくなる。
【００４８】
次に、本発明は、把手部８となる上記第２の円弧部３は、略７ｃｍから１３ｃｍの範囲で細長く拡げられ、上記最低部７で２本の針金が相対する距離が３ｃｍから７ｃｍであって、上記最低部７から、上記交差部６までの距離が９ｃｍから１５ｃｍであるようにしてもよい。
【００４９】
上記第２の円弧部３は、略７ｃｍから１３ｃｍの範囲、すなわち１０ｃｍ±３ｃｍで細長く拡げられるとするのは、一般的な成人男子の握りこぶしで、把手部を握ったときに、上記垂直の方向にしめる幅を考慮したものである。作業者は通常成人であり、上記サイズとすることで握りやすくなる。
【００５０】
同様に、上記最低部７で２本の針金が相対する距離が３ｃｍから７ｃｍ、すなわち、５±２ｃｍとなし、しかも、この最低部７から上記交差部６までの距離が、９ｃｍ〜１５ｃｍ、すなわち、１２ｃｍ±３ｃｍとするのは、一般的な成人男子の握りこぶしで、把手部８を握ったときに、上記中心線の方向にしめつけやすい幅を考慮したものである。
【００５１】
これは作業者は通常成人であり、上記サイズとすることで握りやすくするためである。
【００５２】
尚、針金材Ｓは、サンプル採取袋１０が一杯になる量を採取しても曲がらない程度の太さ、材質であればどのような物でもよい。通常は、一般鋼の針金で、４ｍｍ程度の太さがあればよい。
【００５３】
また、針金材Ｓは上記説明した形状とするが、その両端部では溶接して一体化することが好ましい。サンプル量の増加で負荷が発生した際、両端部が自由端だと、ずれが発生して持ちにくくなるからである。
【００５４】
以上詳細に説明したとおり、本発明の保持治具１を適用すれば、鉱石サンプル採取が効率的に行われるようになり、それだけでなく、生産する鉱石の品位を安定させ、また、操業日数の計画を含め、効率的な操業を行うことができる。
【符号の説明】
【００５５】
１  保持治具、Ｓ  針金材、２  第１の円弧部、３  第２の円弧部、４  頂上部、５  サンプル採取袋取付部、６  交差部、７  最低部、８  把持部、１０  サンプル採取袋、Ｈ  ハンマー
【図１】
2014095666.tif 000003
【図２】
2014095666.tif 000004
【図３】
2014095666.tif 000005
【図４】
2014095666.tif 000006